(57)【特許請求の範囲】
【請求項１】
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、警告すべき事項があるか否かを判定する判定手段と、
前記判定手段によって警告すべき事項があると判定すると、前記リセット処理手段によるリセット処理中はリセット処理中である旨を該警告すべき事項についての警告とともに表示するよう制御し、前記リセット処理手段によるリセット処理の終了後にも、該警告すべき事項についての警告を前記表示器に表示するよう制御する表示制御手段と
を有することを特徴とするビデオカメラ。
【請求項２】
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、警告すべき事項があるか否かを判定する判定手段と、
前記判定手段によって警告すべき事項があると判定すると、前記リセット処理手段によるリセット処理の終了後にも、該警告すべき事項についての警告を前記表示器に表示するよう制御する表示制御手段とを有し、
前記状態取得手段は、当該ビデオカメラの状態として少なくとも外部プラグの接続の有無を取得し、
前記判定手段は、前記状態取得手段で取得した外部プラグの接続の有無に応じて警告すべき事項があるか否かを判定することを特徴とするビデオカメラ。
【請求項３】
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、前記リセット処理に必要な時間を算出する算出手段と、
前記算出手段で算出された時間が一定時間以上であるか否かを判定するリセット時間判定手段と、
前記状態取得手段で取得した当該ビデオカメラの状態に基づいて、警告すべき事項があるか否かを判定する判定手段と、
前記リセット時間判定手段で一定時間以上ではないと判定し、かつ前記判定手段によって警告すべき事項があると判定すると、前記算出手段で算出された時間より長い時間、該警告すべき事項についての警告を前記表示器に表示するよう制御すると共に、前記リセット処理手段によるリセット処理中はリセット処理中である旨を前記警告とともに表示するよう制御する表示制御手段と
を有することを特徴とするビデオカメラ。
【請求項４】
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、前記リセット処理に必要な時間を算出する算出手段と、
前記算出手段で算出された時間が一定時間以上であるか否かを判定するリセット時間判定手段と、
前記状態取得手段で取得した当該ビデオカメラの状態に基づいて、警告すべき事項があるか否かを判定する判定手段と、
前記リセット時間判定手段で一定時間以上ではないと判定し、かつ前記判定手段によって警告すべき事項があると判定すると、前記算出手段で算出された時間より長い時間、該警告すべき事項についての警告を前記表示器に表示するよう制御する表示制御手段とを有し、
前記状態取得手段は、当該ビデオカメラの状態として少なくとも外部プラグの接続の有無を取得し、
前記判定手段は、前記状態取得手段で取得した外部プラグの接続の有無に応じて警告すべき事項があるか否かを判定することを特徴とするビデオカメラ。
【請求項５】
前記表示制御手段は、前記リセット時間判定手段で一定時間以上ではないと判定し、かつ、前記判定手段によって警告すべき事項がないと判定すると、前記リセット処理手段によるリセット処理中に、警告もリセット処理中である旨も表示しないように制御することを特徴とする請求項３又は４に記載のビデオカメラ。
【請求項６】
前記表示制御手段は、前記リセット時間判定手段で一定時間以上であると判定し、かつ、前記判定手段によって警告すべき事項があると判定すると、前記リセット処理手段によるリセット処理中に、リセット処理中である旨を前記警告とともに表示し、前記リセット処理手段によるリセット処理の終了に同期して前記リセット処理中である旨と前記警告との表示を終了するよう制御することを特徴とする請求項３乃至５のいずれか１項に記載のビデオカメラ。
【請求項７】
前記状態取得手段は当該ビデオカメラの状態として少なくともバッテリー残量を取得し、
前記判定手段は、前記状態取得手段で取得したバッテリー残量が一定値以下である場合に、警告すべき事項としてバッテリー残量が減少している旨があると判定することを特徴とする請求項１乃至６のいずれか１項に記載のビデオカメラ。
【請求項８】
前記リセット処理は、録画動作を中止する処理、レンズを適性位置に戻す処理、ユーザーによる設定をメモリに記録する処理の少なくとも一つであることを特徴とする請求項１乃至７のいずれか１項に記載のビデオカメラ。
【発明の詳細な説明】
【０００１】
【発明の属する技術分野】
本発明は、ビデオカメラに係り、詳しくは、電源オフ時にリセット処理を行うビデオカメラに関する。
【０００２】
【従来の技術】
例えば、デジタルビデオカメラ（ｄｉｇｉｔａｌ  ｖｉｄｅｏ  ｃａｍｅｒａ）は、その性能の高さからアナログ式のビデオカメラとの代替えが急速に進んでいる。また、デジタル技術を生かした製品の高機能化、高性能化も行われている。しかし、高機能化や高性能化は、一方で電源投入後や電源オフ動作時のリセット時間を増大させており、しかも、今後、さらに増大すると考えられる。ビデオカメラにおけるリセットは、電源投入時の場合、適正な位置にレンズの位置を合わせたり、録画テープのローディングを行ったりという機械的な初期化動作等を示し、ユーザーが電源を投入した後、速やかに次の作業に移行できるように電源投入後、毎回実行される。
【０００３】
また、電源オフ時のリセットは、例えば、録画中の状態から電源のオフを行う場合においては、録画動作を中止したり、テープ回転を停止したり、レンズを適性位置に戻したり、ユーザーによる設定をメモリに記録したり等の一連の動作になる。電源オフ時にリセット動作を行うことにより、電源オフ後の録画テープの保全、ズームレンズ等の光学系の安定性、次回の電源投入時における速やかな操作性等を得ることが可能になる。なお、電源オフの動作開始から電源オフ終了までのリセット時間は、ビデオカメラの機械的な状態や制御用のソフトウェアの処理状況等によって大きく変化する。
【０００４】
【発明が解決しようとする課題】
しかしながら、上記従来例では、リセット時間中、カメラ画像やブルーバック（背景色をブルーカラーにした画面）等の表示が無く、黒画面が液晶表示器に表示されていることが多い。このため、リセット時間が長くなると、ユーザーに故障等を想像させ、不安感を与えることになる。また、通常の画面が出るまで待たされることも、ユーザーは不快を感じる。そこで、不安感や不快感を軽減させる一つの方法として、黒画面表示に代え、オープニング画面やエンディング画面を表示することが考えられている。
【０００５】
更に、電源オフまでの時間が長いと、ユーザーはビデオカメラが現在実行している状態がわからないばかりでなく、すでに電源がオフにされたものと思い、主電源を抜き取ってしまうことが考えられる。電源オフの動作中に主電源を抜き取ると、リセットが正常に行われず、次回、電源オンにした後の動作が保証されないことがある。また、電源オフまでの時間が短いと、電源オフの命令に応じて警告を表示していたとしてもユーザーは時間が短いために十分に確認出来ないことがある。
【０００６】
本発明は、上述の問題点に鑑み、電源オフの際のリセット処理が短い場合にも、ユーザーが警告内容を十分に確認することが可能なビデオカメラを提供することを目的としている。
【０００７】
【課題を解決するための手段】
本出願に係る発明の目的を実現する構成は、請求項１に記載のように、
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、警告すべき事項があるか否かを判定する判定手段と、
前記判定手段によって警告すべき事項があると判定すると、前記リセット処理手段によるリセット処理中はリセット処理中である旨を該警告すべき事項についての警告とともに表示するよう制御し、前記リセット処理手段によるリセット処理の終了後にも、該警告すべき事項についての警告を前記表示器に表示するよう制御する表示制御手段と
を有することを特徴とする。
また、請求項２に記載のように、
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、警告すべき事項があるか否かを判定する判定手段と、
前記判定手段によって警告すべき事項があると判定すると、前記リセット処理手段によるリセット処理の終了後にも、該警告すべき事項についての警告を前記表示器に表示するよう制御する表示制御手段とを有し、
前記状態取得手段は、当該ビデオカメラの状態として少なくとも外部プラグの接続の有無を取得し、
前記判定手段は、前記状態取得手段で取得した外部プラグの接続の有無に応じて警告すべき事項があるか否かを判定することを特徴とする。
また、請求項３に記載のように、
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、前記リセット処理に必要な時間を算出する算出手段と、
前記算出手段で算出された時間が一定時間以上であるか否かを判定するリセット時間判定手段と、
前記状態取得手段で取得した当該ビデオカメラの状態に基づいて、警告すべき事項があるか否かを判定する判定手段と、
前記リセット時間判定手段で一定時間以上ではないと判定し、かつ前記判定手段によって警告すべき事項があると判定すると、前記算出手段で算出された時間より長い時間、該警告すべき事項についての警告を前記表示器に表示するよう制御すると共に、前記リセット処理手段によるリセット処理中はリセット処理中である旨を前記警告とともに表示するよう制御する表示制御手段と
を有することを特徴とする。
また、請求項４に記載のように、
表示器を備えたビデオカメラにおいて、
電源オフの命令を検知する検知手段と、
前記検知手段による電源オフの命令の検知に応じて、当該ビデオカメラの主電源をオフする前にリセット処理を行うリセット処理手段と、
前記検知手段による電源オフの命令の検知に応じて、当該ビデオカメラの状態を取得する状態取得手段と、
前記状態取得手段で取得した当該ビデオカメラの状態に基づいて、前記リセット処理に必要な時間を算出する算出手段と、
前記算出手段で算出された時間が一定時間以上であるか否かを判定するリセット時間判定手段と、
前記状態取得手段で取得した当該ビデオカメラの状態に基づいて、警告すべき事項があるか否かを判定する判定手段と、
前記リセット時間判定手段で一定時間以上ではないと判定し、かつ前記判定手段によって警告すべき事項があると判定すると、前記算出手段で算出された時間より長い時間、該警告すべき事項についての警告を前記表示器に表示するよう制御する表示制御手段とを有し、
前記状態取得手段は、当該ビデオカメラの状態として少なくとも外部プラグの接続の有無を取得し、
前記判定手段は、前記状態取得手段で取得した外部プラグの接続の有無に応じて警告すべき事項があるか否かを判定することを特徴とする。
【００２１】
【発明の実施の形態】
以下、本発明の実施の形態を図面に基づいて説明する。
【００２２】
（第１の実施の形態）
図１は、本発明のビデオカメラの第１の実施の形態を示す構成図である。本発明のビデオカメラ１は、撮影した画像等を表示するためのＬＣＤ（液晶ディスプレィ）２、ビデオカメラを動作させるための中枢となるシステム制御部３、ＬＣＤ２が取り付けられたカメラ本体４、テープの搬送、ヘッド移動、収納蓋の開閉駆動等を実行する機構部５、レンズや撮像素子等を含む構成のカメラ部６、電源を入力するためにユーザーが操作する電源切替えキー７等が設けられている。カメラ本体４には、システム制御部３、機構部５、及びカメラ部６が内蔵され、外表面の所定の位置に電源切替えキー７が設けられている。
【００２３】
機構部５及びカメラ部６のモータの駆動制御、及びＬＣＤ２の表示制御は、ＣＰＵを内蔵したシステム制御部３によって実行される。電源切替えキー７は、「ＰＯＷＥＲ  ＯＦＦ」，「ＶＴＲ」，「ＣＡＭＥＲＡ」の３つの動作位置を持ち、ＶＴＲ（ビデオテープレコーダ）及びＣＡＭＥＲＡ（カメラ）が電源オン状態、ＰＯＷＥＲ  ＯＦＦ（パワーオフ）が電源オフの状態になる。ＶＴＲ位置に設定したときには既に録画済みのテープを再生することができ、ＣＡＭＥＲＡに設定したときには撮影が行える状態になる。
【００２４】
図１において、まず、電源切替えキー７により「ＰＯＷＥＲ  ＯＦＦ」（電源オフ）に切替えを行った場合について説明する。電源切替えキー７がオフに切り替えられると、システム制御部３は機構部５、カメラ部６、バッテリー回路部（不図示）との間で通信を行い、ビデオカメラ全体の動作に関する情報を取得する。この動作情報は、ＰＬＡＹ（再生）中、ＲＥＣ（録画）中、及びＲＥＣＰＡＵＳＥ（録画一時停止）中等を示す情報、レンズのズーム位置がリセット位置からどれだけ離れているか等の情報である。
【００２５】
電源切替えキー７が「ＰＯＷＥＲ  ＯＦＦ」の位置に切り替えられると、次回の電源ＯＮ時に正しい動作が行われるように、主電源からの電源を切り放すまでに、機構部５をリセット状態にしてから、主電源からの電力供給をにオフする。このリセットを行うために必要な時間は、電源切替えキー７を電源オフに切り替えた時点の機構部５の状態に大きく依存している。例えば、ＲＥＣ中に電源オフに電源切替えキー７が切り替わるのと、既に停止している状態から電源切替えキー７が電源オフに切り替わるのとでは、機構部５のリセット処理に伴う時間が大きく異なる。システム制御部３は、このリセット開始時の機構部５の動作に関する情報に基づいて、リセット処理に或る任意の時間以上に時間がかかる状況であれば、エンディング画面を或る一定時間表示する。また、リセット処理に時間を要しないメカ状況でれば、エンディング画面表示を行うことなくリセット処理を終了し、主電源をオフする。
【００２６】
図２は、電源切替えキー７が電源オフに切り替えられた後、エンディング画面表示を行う処理を示すフローチャートである。図中、“Ｓ”はステップを表している。
【００２７】
電源切替えキー７により「ＰＯＷＥＲ  ＯＦＦ」に切り替えられたことが検知（Ｓ２０１）されると、機構部５の動作に関する情報を取得し（Ｓ２０２）、この情報に基づいてリセット処理に必要な時間を算出する（Ｓ２０３）。リセット処理に必要な時間が或る一定時間（ここでは３秒）以上か否かを判定する（Ｓ２０４）。そして、一定時間未満であれば、エンディング画面の表示は行わず、処理を終了する（Ｓ２０８）。また、一定時間以上（３秒以上）であれば、Ｓ２０５に移行し、エンディング画面表示処理を実行する（Ｓ２０４）。まず、リセット処理の所要時間に対応したエンディング時間を算出し（Ｓ２０５）、エンディング画面表示処理を行う（Ｓ２０６）。そして、一定時間が経過すれば（Ｓ２０７）、処理を終了し（Ｓ２０８）、未経過であればＳ２０６へ戻り、一定時間が経過するまでエンディング画面表示を行う。
【００２８】
図３は電源切替えキー７が電源オフに切り替えられた後、エンディング画面表示を行う処理の他の例を示すフローチャートである。図３において、電源切替えキー７により「ＰＯＷＥＲ  ＯＦＦ」に切り替えられたことが検知されると（Ｓ３０１）、機構部５の動作状況が検知される（Ｓ３０２）。ついで、機構部５の動作状況が特定の動作状況であるかどうかをチエックする（Ｓ３０３）。その結果、特定の動作状況であれば、動作状況に対応したエンディング表示時間を設定し（Ｓ３０４）、エンディング表示処理を開始する（３０５）。そして、表示時間をＳ３０６で判定し、表示時間を経過していればエンディング表示処理を終了する（Ｓ３０７）。
【００２９】
図４は、エンディング表示画面の一例を示す画面図である。図４においては、リセット動作中であるというメッセージ１０と、リセット処理時間の残量を示すバーグラフ形のメータ９と、バッテリーの抜き取りの禁止を警告するメッセージ８と、が含まれている。リセット処理時間残量は、時間経過に従って減少するように表示されるため、リセット終了まで待たされるユーザーのイライラ感が軽減される。
【００３０】
図５は、図４に示したエンディング画面を表示するための処理を示すフローチャートである。まず、図２及び図３で説明した表示時間の決定の処理が行われる（Ｓ２０５またはＳ３０４）。この後、「表示時間カウンタ」をセットし（Ｓ５０１）、そのカウンタ値に対応して残り時間メータの画像を設定する（Ｓ５０２）。ついで、メータ９や警告表示を含めたエンディング表示画面全体の画像情報を出力（Ｓ５０３）した後、「表示時間カウンタ」をカウントダウンし（Ｓ５０４）、さらに表示時間の経過をチェックする（図２及び図３におけるＳ２０７，Ｓ３０７）。表示時間が未経過であれば、Ｓ５０２へ戻り、以降の処理を繰り返し実行する。
【００３１】
（第２の実施の形態）
次に、本発明の第２の実施の形態について説明する。
【００３２】
図６は、本発明のビデオカメラの第２の実施の形態を示す構成図である。図６においては、図１に示したと同一であるものには同一引用数字を用いたので、ここでは重複する説明は省略する。
【００３３】
図６のビデオカメラ８は、図１の構成に加え、バッテリー回路部１１及び外部プラグ検知回路１２が追加されている。外部プラグ検知回路１２は、プラグ接続用のジャック１３ａ，１３ｂ，１３ｃを備え、これらジャック１３ａ〜１３ｃに挿入されたプラグ（ｐｌｕｇ）の装着の有無を検知する。
【００３４】
このビデオカメラ８において、電源切替えキー７により他のポジションから「ＰＯＷＥＲ  ＯＦＦ」に切替えた場合について説明すると、まず、電源切替えキー７が「ＰＯＷＥＲ  ＯＦＦ」に切り替えられると、システム制御部３は機構部５、カメラ部６、及びバッテリー回路部９との間で通信を行い、カメラ全体の動作状況に関する情報を取得する。この場合の動作状況とは、第１の実施の形態で説明したＰＬＡＹ中、ＲＥＣ中、ＲＥＣＰＡＵＳＥ中等を示す情報、レンズのズーム位置がリセット位置からどれだけ離れているか等の情報に加えて、バッテリー残量や外部プラグの接続の有無等の情報が含まれる。これらの情報から、エンディング画像の表示の実行と不実行、表示時間、及び表示内容を決定する。そして、表示実行が選択された場合には、表示の処理を実行する。
【００３５】
図７は、図６のビデオカメラにおいて、電源切替えキー７が電源オフに切り替えられてからのエンディング表示処理を示すフローチャートである。
【００３６】
まず、電源切替えキー７の電源オフが検知（Ｓ７０１）された後、ビデオカメラ８の動作状況が検知（Ｓ７０２）される。この動作状況に基づいて、リセット時間が一定値（ここでは３秒）以上であるか否かが判定され（Ｓ７０３）、一定時間以上であればリセット時間フラグをオンにする（Ｓ７０４）。Ｓ７０４の処理終了後またはＳ７０３でリセット時間未満であることが判定されると、特定の外部プラグが接続されているか否かを判定する（Ｓ７０５）。外部プラグ検知回路１２のジャック１３ａ〜１３ｃのいずれかに特定の外部プラグが装着されているか否かを判定し（Ｓ７０５）、接続されている場合にはプラグフラグをオンにする（Ｓ７０６）。その後、バッテリー回路部９によりバッテリー残量が一定値以上か否かを判定し（Ｓ７０７）、一定値以下であれば、バッテリーフラグをオンにする（Ｓ７０８）。そして、動作状況やフラグ状況からエンディング画面を表示する時間を決定する（Ｓ７０９）。この後、エンディング表示の処理を開始する（Ｓ７１０）。そして、表示時間の経過が判定されれば（Ｓ７１１）処理を終了し、表示時間未満であればＳ７１０に処理を戻し、以降の処理を繰り返し実行する。
【００３７】
図８は、図７の表示時間を決定する処理（Ｓ７０９）の詳細を示すフローチャートである。まず、リセットフラグがオンであるか否かを判別する（Ｓ８０１）。リセットフラグがオンの場合、リセット処理に３秒以上の時間がかかることから、表示時間をリセット時間と同じ時間にセットする（Ｓ８０２）。一方、リセットフラグがオンにされていない場合、バッテリー残量の警告または、特定の外部プラグが接続されているままであるという警告を行うのみであるので、警告に必要な３秒の表示時間を設定し（Ｓ８０３）、Ｓ７０９へ移行する。
【００３８】
図９は、図７の表示処理（Ｓ７０９〜７１０）の詳細を示すフローチャートである。まず、表示時間が決定される（Ｓ７０９）と、次に、リセットフラグがオンされているか否かが判定される（Ｓ９０１）。リセットフラグがオンにされていると、リセット中のメッセージを表示するように設定が行われる（Ｓ９０２）。その後、プラグフラグがオンにされているか否かを判別し（Ｓ９０３）、オンにされている場合、接続されているプラグがＡＶプラグか否かを判別し（Ｓ９０４）、ＡＶプラグであれば、ＡＶプラグ接続中の警告メッセージを設定する（Ｓ９０５）。次には、接続されているプラグがＤＶ（ｄｉｇｉｔａｌ  ｖｉｄｅｏ）プラグか否かを判別し（Ｓ９０６）、ＤＶプラグである場合には、ＤＶプラグ接続中の警告メッセージを設定し（Ｓ９０７）、さらに、接続されているプラグがＳ端子か否かを判別し（Ｓ９０８）、Ｓ端子が判定されれば、Ｓ（ｓｅｐａｒａｔｅ  ｔｅｒｍｉｎａｌ）端子接続中の警告メッセージを設定する（Ｓ９０９）。更に、バッテリーフラグがオンにされているか否かを判別し（Ｓ９１０）、バッテリーフラグがオンにされている場合、バッテリー残量減少の警告メッセージを設定し（Ｓ９１１）、全てが設定されたメッセージを表示（Ｓ９１２）した後、図７におけるＳ７１１の処理へ移行する。
【００３９】
図１０は、第２の実施の形態におけるエンディング画面の表示例である。表示画面中には、リセット処理中であることを通知するメッセージ１００１と、外部端子接続中の警告メッセージ１００２と、バッテリー残量が少なくなっていることを警告するメッセージ１００３が表示されている。これらのメッセージは、それぞれ、上記表示処理によって表示する必要がある場合にのみ表示が行われる。
【００４０】
〔発明と実施の形態の対応〕
以上の実施の形態において、システム制御部３が制御手段に、ＬＣＤ２が表示器に相当する。
【００４１】
以上説明したように、本発明は、電源オフの命令が出てから電源がオフにされるまでの時間と予め定めた時間との比較結果に基づいて、或いは、電源オフの命令が出てからの機構部の動作状態を判別した結果に基づいて、表示器にエンディング画面を表示するか否かを決定する制御手段を設けるようにしたので、ユーザーの不安感が軽減され、まだ動作中であることを示すことによって主電源を抜き取る等の不適切な行動を防止することが可能になる。また、電源オフまでの時間が長い機構部であっても、電源オフの命令が出てからの機構部の動作状態を判別することにより表示器にエンディング画面を表示するか否かの決定を把握することができる。これにより、ユーザーは電源オフの処理中であることを認識でき、電源オフ時のユーザーの不安感を軽減することができる。また、主電源を抜き取るなどの不適切な行動を防止することが可能になる。
【００４２】
また本発明は、電源がオフにされるまでの時間を前記エンディング画面に表示する制御手段にしたので、リセット処理時間が長い動作状況においては、電源オフ動作中である旨をユーザーに通知し、ユーザーの不安感を軽減し、動作中であることを示すことによって主電源を抜き取るなどの不適切な行動を防止することが可能になる。
【００４３】
また本発明は、電源のオフ動作に伴う警告表示を前記エンディング画面に表示する制御手段にしたので、リセット動作終了時までの時間を表示することによって、終了まで待たされるユーザーのイライラ感を軽減することができる。また、使い勝手を向上させることができる。
【００４４】
また本発明は、前記表示器にバッテリー残量を示すメーターを表示する制御手段にしたので、リセット処理中の時間を利用してバッテリーの残量が視覚的に表示でき、バッテリー交換の必要性等をユーザーに認知させることができる。
【００４５】
また本発明は、電源オフの処理開始時の機構部の状態に応じて前記エンディング画面の表示内容を変更する制御手段にしたので、ユーザーに適切なアナウンスが行えるほか、次回の使用開始時にスムーズに作業に移行することが可能になり、使い勝手を向上させることができる。
【００４６】
また本発明は、電源オフの処理時間、または機構部の動作状態に応じて前記エンディング画面の表示時間を変更する制御手段にしたので、必要最小限のエンディング表示が行われ、電力の節約を行うことが可能になる。
【００４７】
また本発明は、電源オフの処理の終了に同期して前記エンディング画面の表示を終了する制御手段にしたので、無駄なエンディング画面の表示が防止され、表示に要する電力の節約が可能になる
【発明の効果】
本発明によれば、電源オフの際のリセット処理が短い場合にも、ユーザーに警告内容を十分に確認させることができ、次回の使用開始時にスムーズに作業に移行することができるよう促すことができる。
【図面の簡単な説明】
【図１】本発明のビデオカメラの第１の実施の形態を示す構成図である。
【図２】電源切替えキーが電源オフに切り替えられた後のエンディング画面表示の処理を示すフローチャートである。
【図３】電源切替えキーが電源オフに切り替えられた後のエンディング画面表示の処理の他の例を示すフローチャートである。
【図４】本発明の第１の実施の形態のエンディング表示画面の一例を示す画面図である。
【図５】図４に示したエンディング画面を表示するための処理を示すフローチャートである。
【図６】本発明のビデオカメラの第２の実施の形態を示す構成図である。
【図７】本発明の第２の実施の形態の電源切替えキーが電源オフに切り替えられてからのエンディング表示処理を示すフローチャートである。
【図８】図７の表示時間を決定する処理の詳細を示すフローチャートである。
【図９】図７における表示処理の詳細を示すフローチャートである。
【図１０】第２の実施の形態におけるエンディング画面の表示例を示す画面図である。
【符号の説明】
１，８  ビデオカメラ
２  ＬＣＤ
３  システム制御部
４  カメラ本体
５  機構部
６  カメラ部
７  電源切替えキー
１０  バッテリー回路部
１２  外部プラグ検知回路
１３ａ，１３ｂ，１３ｃ  ジャック
【図１】
0004350202.tif 000002
【図２】
0004350202.tif 000003
【図３】
0004350202.tif 000004
【図４】
0004350202.tif 000005
【図５】
0004350202.tif 000006
【図６】
0004350202.tif 000007
【図７】
0004350202.tif 000008
【図８】
0004350202.tif 000009
【図９】
0004350202.tif 000010
【図１０】
0004350202.tif 000011